(57)【要約】【課題】  魚釣用リールのリール脚のリールシートへの固定力を向上させ、ガタツキや緩みを防止することが可能なリールシートを提供すること。【解決手段】  釣竿用リールシート１０は、釣竿用リール６のリール脚６ａが載置されるリール脚載置面１２ａを有するリールシート本体１２と、リール脚をリール脚載置面に着脱可能に固定する移動フード２２とを有する。リールシートは、裏面保持部２８ａを有するリール脚保持部２８を有する。この裏面保持部２８ａは、リール脚載置面と移動フードとの間の移動フードに覆われる領域内に配置されているとともに、移動フードによりリール脚がリール脚載置面に固定されたときにリール脚の裏面とリール脚載置面との間に挟持されてリール脚の裏面を保持する。【選択図】    図６
2010051282.tif 000002
【特許請求の範囲】
【請求項１】
釣竿用リールのリール脚が載置されるリール脚載置面を有するリールシート本体と、前記リール脚を前記リール脚載置面に着脱可能に固定する移動フードとを有する釣竿用リールシートであって、
前記リール脚載置面と前記移動フードとの間の前記移動フードに覆われる領域内に配置されているとともに、前記移動フードにより前記リール脚が前記リール脚載置面に固定されたときに前記リール脚の裏面と前記リール脚載置面との間に挟持されて前記リール脚の裏面を保持する裏面保持部を有するリール脚保持部を具備することを特徴とする釣竿用リールシート。
【請求項２】
前記リール脚保持部は、前記リール脚載置面と前記移動フードとの間の前記移動フードに覆われる領域内に配置されているとともに、前記移動フードにより前記リール脚が前記リール脚載置面に固定されたときに前記リール脚の表面と前記移動フードとの間に挟持されて前記リール脚の表面を保持する表面保持部をさらに有することを特徴とする請求項１に記載の釣竿用リールシート。
【請求項３】
前記裏面保持部および前記表面保持部は、一体的に形成されていることを特徴とする請求項２に記載の釣竿用リールシート。
【請求項４】
前記リール脚保持部は、前記移動フードに設けられていることを特徴とする請求項１から請求項３のいずれか１に記載の釣竿用リールシート。
【請求項５】
前記裏面保持部は、前記リール脚載置面に設けられていることを特徴とする請求項１又は請求項２に記載の釣竿用リールシート。
【請求項６】
前記裏面保持部および前記リール脚載置面の少なくとも一方には、前記リール脚を前記裏面保持部および前記リール脚載置面から滑るのを防止する滑り止めが形成されていることを特徴とする請求項１から請求項５のいずれか１に記載の釣竿用リールシート。
【請求項７】
請求項１から請求項６のいずれか１に記載の釣竿用リールシートを有する釣竿。
【発明の詳細な説明】
【技術分野】
【０００１】
この発明は、魚釣用リールを取り付ける釣竿用リールシートおよびこの釣竿用リールシートを有する釣竿に関する。
【背景技術】
【０００２】
一般に、釣竿に魚釣用リールを取り付けるリールシートは、リールのリール脚を載置するリール脚載置面をリールシート本体に形成し、このリール脚載置面の長手方向に沿って対向配置した１対のフードにより、リール脚をこのリール脚載置面上に保持する。これら１対のフードは、それぞれがリール脚を受け入れる開口部を有し、一方をリール脚載置面に沿って他方に向けて移動し、これらの１対のフード間にリール脚を挟持させることにより、リールを釣竿に装着する。  
このようなリールシートには、金属製フードをプラスチック製螺環の前端に回転自在に係合し、この螺環の回転にしたがって筒状リールシート上を長手方向に移動し、対向する固定フードと共に、開口部で受け入れたリール脚をリール脚載置面に押圧し、保持するものがある（例えば特許文献１参照）。すなわち、リール脚のリールシートへの固定力はフード内面によりリール脚の表面が押し下げられ、リール脚がリール脚載置面に押し付けられることで発生している。
【特許文献１】特開平８−１９６１７０号公報
【発明の開示】
【発明が解決しようとする課題】
【０００３】
しかしながら、リール脚を固定した状態でフードに周方向の力を加えるとフードが回転することがあり、フードが回転するとリール脚のリールシートへの固定力が弱まり、ガタツキや緩みを生じることがある。すなわち、上述したように、リール脚をリールシートへ固定する際、フード内面によりリール脚の表面を押し下げてリール脚がリール脚載置面に押し付けるだけでは充分な固定力が得られない場合があり、リール脚をリールシートに押し付ける固定に改善の必要性がある。  
本発明は、このような事情に基づいてなされたもので、魚釣用リールのリール脚のリールシートへの固定力を向上させ、ガタツキや緩みを防止することが可能な釣竿用リールシート及びこのような釣竿用リールシートを有する釣竿を提供することを目的とする。
【課題を解決するための手段】
【０００４】
上記課題を解決するために、この発明に係る釣竿用リールシートは、釣竿用リールのリール脚が載置されるリール脚載置面を有するリールシート本体と、前記リール脚を前記リール脚載置面に着脱可能に固定する移動フードとを有し、前記リール脚載置面と前記移動フードとの間の前記移動フードに覆われる領域内に配置されているとともに、前記移動フードにより前記リール脚が前記リール脚載置面に固定されたときに前記リール脚の裏面と前記リール脚載置面との間に挟持されて前記リール脚の裏面を保持する裏面保持部を有するリール脚保持部を備えている。  
また、前記リール脚保持部は、前記リール脚載置面と前記移動フードとの間の前記移動フードに覆われる領域内に配置されているとともに、前記移動フードにより前記リール脚が前記リール脚載置面に固定されたときに前記リール脚の表面と前記移動フードとの間に挟持されて前記リール脚の表面を保持する表面保持部をさらに有することが好ましい。  
また、前記裏面保持部および前記表面保持部は、一体的に形成されていることが好ましい。  
また、前記リール脚保持部は、前記移動フードに設けられていることが好ましい。  
また、前記裏面保持部は、前記リール脚載置面に設けられていることが好ましい。  
また、前記裏面保持部および前記リール脚載置面の少なくとも一方には、前記リール脚を前記裏面保持部および前記リール脚載置面から滑るのを防止する滑り止めが形成されていることが好ましい。
【発明の効果】
【０００５】
この発明によれば、移動フードがリール脚をリールシート本体のリール脚載置面に載置した状態で固定しているときに、リール脚の裏面とリール脚載置面との間にリール脚保持部の裏面保持部が挟持された状態で配設されるようにしたことによって、リール脚でリール脚保持部をリール脚載置面に押し付けることができる。このようにリール脚でリール脚保持部をリール脚載置面に押し付ける押し付け力によって、リール脚のリール脚載置面への固定力を向上させることができる。このため、フードとリール脚載置面との間に配設される魚釣用リールのリール脚について、ガタツキや緩みを防止することが可能な魚釣用リールシートを提供することができるとともに、このようなリールシートを有する釣竿を提供することができる。
【０００６】
リール脚保持部のうちリール脚の表面を保持する表面保持部によってリール脚がリールシート本体の周方向に移動することを防止することができる。したがって、表面保持部と裏面保持部とが協働することにより、リールシートにリール脚を取り付けた状態でリール脚がリール脚載置面に対してガタ付きが生じたり、緩みが生じたりすることをより確実に防止できる。  
裏面保持部と表面保持部とを一体化することにより、両者の作用をより確実に連動させることができ、リールシートにリール脚を取り付けた状態でリール脚がリール脚載置面に対してガタ付きが生じたり、緩みが生じたりすることをより確実に防止できる。  
リール脚保持部が移動フードに設けられていることによって、確実にリール脚保持部の裏面保持部をリール脚の裏面とリール脚載置面との間に挟持することができる。  
裏面保持部がリール脚載置面に設けられていることによって、リール脚がリール脚載置面に配置されたときに裏面保持部からリール脚がズレるのを防止することができる。  
裏面保持部およびリール脚載置面の少なくとも一方に滑り止めが形成されることによって、リール脚保持部と協働して、より確実にリール脚をリール脚載置面に固定することができる。
【発明を実施するための最良の形態】
【０００７】
以下、図面を参照しながらこの発明を実施するための最良の形態（以下、実施の形態という）について説明する。
【０００８】
第１の実施の形態について図１ないし図７を用いて説明する。  
図１は、本発明の好ましい実施形態によるリールシート１０を用いた釣竿２を示す。  
この釣竿２は、振り出し式の磯上物竿として形成してあり、穂先側の竿管を順に収納可能な最も大径の元側竿管４にリールシート１０を設け、このリールシート１０に魚釣用リール６を取り付けてある。この釣竿２には、竿管の外面に釣糸が付着するのを防止する釣糸ガイド８が、魚釣用リール６と同じ側で、釣竿２の穂先に向けて所定間隔をおいて固定され、竿先にはトップガイド８ａが取り付けられている。このような釣糸ガイド８の個数および配置位置は、図示の例に限らず、任意に設定することが可能である。
【０００９】
このような外通し式に代えて、魚釣用リール６から繰出した釣糸を釣竿２の竿管内に導入し、この竿管内で案内した後、中空構造の穂先竿から外部に導出する中通し式とすることも可能である。また、釣竿２は振出し式に限らず、いんろう継ぎ、並継ぎあるいは逆並継ぎ等の適宜の継ぎ形式のものであってもよい。
【００１０】
リールシート１０の後述するリールシート本体１２の後端側には、例えばＥＶＡ等の柔軟な合成樹脂、あるいは、コルク等の天然材により、滑り難くかつ柔軟で握持し易く形成された中空管状構造のグリップ（後部握り部）４ａが例えば接着剤を用いて一体的に結合されている。本実施形態では、リールシート本体１２の後端に形成した凹部にグリップ４ａの先端部が嵌合して、例えば接着剤を用いて強固に固着されている。このグリップ４ａは、中空構造あるいは中実構造のいずれであってもよい。
【００１１】
図２、図３および図４（Ａ）から図４（Ｃ）に示すように、リールシート１０は、魚釣用リール６のリール脚６ａが載置されるリール脚載置面１２ａをその軸方向に沿って有するリールシート本体１２を備えている。リールシート本体１２は、図４（Ｂ）に示すように、全体として筒状に形成されている。リールシート本体１２は、合成樹脂（例えばポリアミド系合成繊維やＡＢＳ樹脂等）あるいは金属（例えばＳＵＳ、アルミニウム、チタン、真鍮等）等の適宜の材料から形成されている。
【００１２】
このリールシート本体１２は、リール脚載置面１２ａの反対側を僅かに膨出させ、握持する手で握り込んだときに、母指球またはその近部を支えることで握持し易い湾曲形状の外面を有する握り部１２ｂを形成してある。
【００１３】
リールシート本体１２のリール脚載置面１２ａは、平坦または、リールシート本体１２のリール脚載置面１２ａに隣接する他の周方向の部位（例えば握り部１２ｂ）よりも大きな曲率をもって略平坦に形成され、かつ、図２および図３に示す下側にリールシート本体１２の軸方向に延びた状態に形成されている。リールシート本体１２は、一端（竿先側）に固定フード１４が一体的に配設されている。リールシート本体１２のリール脚載置面１２ａの一端は、固定フード１４の内部に配設されている。リールシート本体１２は、他端（竿元側）に筒状部１６およびネジ部１８が一体的に設けられている。筒状部１６には、リールシート本体１２のリール脚載置面１２ａに連続して、又は、僅かな段差をもって筒状部載置面１６ａが形成されている。図６（Ａ）に示すように、本実施形態では、リール脚載置面１２ａと筒状部載置面１６ａとの間は、リール脚６ａの裏面（底面）６ｂが載置される後述するリール脚保持部２８の裏面保持部２８ａおよびリール脚載置面１２ａの間をできるだけ面一にするように、リール脚保持部２８の裏面保持部２８ａが配設される分の段差が形成されている。筒状部載置面１６ａは、ネジ部１８にも連続して形成されている。筒状部１６およびネジ部１８の外側には、移動フード２２が軸方向に移動自在に装着される。
【００１４】
図２および図３に示すように、リールシート本体１２の固定フード１４には、リール脚６ａの一端を受け入れる開口部１４ａが移動フード２２に向けて開口されている。この固定フード１４の開口部１４ａは、リールシート本体１２の前方に向けて次第に内面の高さが低くなるように形成されている。この開口部１４ａにリール脚６ａの一端を受け入れ、リール脚６ａの一端が開口部１４ａにより押圧されたときに、このリール脚６ａを固定フード１４内に配設されたリール脚載置面１２ａ側に向けて付勢する（押し付ける）。
【００１５】
なお、固定フード１４は、リールシート本体１２に一体的に配設されている場合に限らず、金属又は硬質の合成樹脂でリールシート本体１２と別体構造に形成し、リールシート本体１２に強固に固定してもよい。金属で形成する場合には、リール６のリール脚６ａに当接する部位に樹脂製部材を配置し、金属間の接触による各部材の損傷を防止することが好ましい。
【００１６】
図５（Ａ）および図５（Ｂ）に示すように、本実施形態の移動フード２２は、リールシート本体１２のネジ部１８が挿通される軸方向孔２２ａを貫通させたスリーブ状に形成してあり、締付用ナット２４と、フード本体２６と、このフード本体２６の内側に固定されたリール脚保持部２８とを有する。フード本体２６の後端には締付用ナット２４が回転自在に連結されている。そして、締付用ナット２４は例えば合成樹脂、金属、ポリアミド系合成繊維、ＡＢＳ樹脂、アルミニウム、真鍮等により形成され、フード本体２６は例えば金属（ＳＵＳ、真鍮）等により形成され、リール脚保持部２８は例えばポリアミド系合成繊維等により形成されている。リール脚保持部２８は、後述する連結部２８ｃで裏面保持部（フード挟持部）２８ａおよび表面保持部２８ｂを適当な範囲でバネ性をもって開閉するように、適度な弾性を有する材料で形成される。
【００１７】
締付用ナット２４はネジ部１８に螺合する雌ネジを内周側に形成し、外周側は滑り難く回転操作し易く形成されている。締付用ナット２４の前端部は、フード本体２６の後端部と相対回転自在でかつ抜け止めされた状態で連結されている。図５（Ａ）および図６（Ａ）に示す実施形態では、締付用ナット２４の前端で径方向外方に拡径した状態に延びるフランジ部に、フード本体２６の後端で径方向内方に縮径した状態に延びるフランジ部が嵌合され、自在に相対回転を可能としつつ抜け止めしている。なお、締付用ナット２４とフード本体２６との連結構造は、逆の構造であっても良い。すなわち、締付用ナット２４の前端の径方向内方に縮径した状態に延びるフランジ部に、フード本体２６の後端の径方向外方に拡径した状態に延びるフランジ部が嵌合され、自在に相対回転を可能としつつ抜け止めすることも好ましい。また、径方向内方や径方向外方に延びるフランジ部は、全周にわたって連続することが好ましいが、不連続であってもよい。
【００１８】
締付用ナット２４は、リールシート本体１２のネジ部１８に螺合され、かつ、回転可能に配設されている。フード本体２６は締付用ナット２４に連結されている。このため、ネジ部１８に対して締付用ナット２４を正方向に回転させると、締付用ナット２４が固定フード１４に対して近接するとともに移動フード２２のフード本体２６が固定フード１４に対して近接する。一方、ネジ部１８に対して締付用ナット２４を逆方向に回転させると締付用ナット２４が固定フード１４に対して離隔するとともに移動フード２２のフード本体２６が固定フード１４に対して離隔する。
【００１９】
この締付用ナット２４の回転によりリールシート本体１２の軸方向に移動されるフード本体２６は、前方および内周側に開口し、魚釣用リール６のリール脚６ａの後端を受け入れるリール脚保持部２８が配設された状態で固定される開口部２６ａを有する。このフード本体２６の開口部２６ａは、移動フード２２をリールシート本体１２のネジ部１８に装着したときに、固定フード１４の開口部１４ａに対向する。フード本体２６の開口部２６ａは、固定フード１４の開口部１４ａとは逆に、後方に向けて次第に内面の高さが低くなるように形成されている。
【００２０】
リール脚保持部２８は、リールシート本体１２のリール脚載置面１２ａに対向するリール脚６ａの裏面（底面）６ｂが配設される略板状の裏面保持部２８ａと、リール脚６ａの表面（リール脚６ａの裏面以外の曲面）６ｃに当接される略曲面板状の表面保持部２８ｂとを備えている。これら裏面保持部２８ａと表面保持部２８ｂとは固定フード１４に対して遠位の位置にある連結部２８ｃにより一体的に形成されている。図６（Ｂ）および図７（Ｂ）に示すように、この実施形態では、裏面保持部２８ａと表面保持部２８ｂとのうち連結部２８ｃ以外の部分は、分離されている。また、裏面保持部２８ａおよび表面保持部２８ｂの両者は、移動フード２２のフード本体２６によってリール脚６ａを固定する領域（リール脚６ａをリール脚載置面１２ａに対して固定するための固定力を及ぼす範囲）内に配設されている。
【００２１】
図６（Ａ）に示すように、フード本体２６には、貫通孔２６ｂが形成されている。一方、リール脚保持部２８の表面保持部２８ｂには、突部２８ｄが形成されている。そして、フード本体２６の貫通孔２６ｂには、リール脚保持部２８の表面保持部２８ｂの突部２８ｄが嵌合され、かつ、接着剤等で固定されることにより一体化されている。このため、フード本体２６がリールシート本体１２の軸方向に移動すると、一体的にリール脚保持部２８も移動する。なお、フード本体２６の開口部２６ａのうちの固定フード１４に近接する端部は、リール脚保持部２８の表面保持部２８ｂのうちの固定フード１４に近接する端部と略面一、又は、表面保持部２８ｂが突出することが好ましい。このような形状とすることにより、リール脚６ａの後端がフード本体２６に直接接触することなく、リール脚６ａの後端が表面保持部２８ｂにより保持される。
【００２２】
表面保持部２８ｂの内側の側面は、リール脚６ａの表面６ｃの脚側面に沿って当接するように裏面保持部２８ａに向かって曲面状に形成されている。また、リール脚保持部２８の表面保持部２８ｂの外周は、フード本体２６により覆われているので、表面保持部２８ｂの変形が抑制されている。このため、表面保持部２８ｂのうちの裏面保持部２８ａに向かって延出された端部により、リール脚６ａの裏面６ｂから立ち上がる表面６ｃのうちの側面のフラツキを防止するように保持することができる。したがって、リール脚６ａの後端の表面６ｃのうちの側面がリール脚保持部２８の表面保持部２８ｂから外側にズレることを防止している。そして、リール脚６ａの後端がリール脚保持部２８の連結部２８ｃには至らない位置で係止される。このため、リール脚６ａの後端がリール脚保持部２８に配置されたときに、リールシート本体１２の周方向にリール脚６ａがズレることが抑制される。
【００２３】
リール脚保持部２８の裏面保持部２８ａには、リール脚６ａの後端が裏面保持部２８ａに載置される際に裏面保持部２８ａの端部に引っ掛かるのを防止するため、傾斜面２８ｅが形成されている。傾斜面２８ｅは、裏面保持部２８ａのうちの一部に形成され、連結部２８ｃに近接する側が固定フード１４に近接する側よりも高く形成されている。傾斜面２８ｅの傾斜角度は、適宜に設定可能である。このような傾斜面２８ｅが形成されていることにより、リール脚６ａを裏面保持部２８ａに容易に案内して載置させることができる。
【００２４】
リール脚載置面１２ａには、リール脚６ａの裏面（底面）６ｂがリール脚載置面１２ａに対して滑るのを防止する滑り止め（例えばネジ部１８のネジ溝の凹凸を小さく形成したような複数の凸状部又は凹状部）が形成されていることが好ましい。特に、滑り止めとしての凸状部又は凹状部は、リールシート本体１２の軸方向に対して直交する方向に、互いに平行に形成されていることが好ましい。凸状部又は凹状部には、リール脚保持部２８の裏面保持部２８ａの裏面が当接される。このため、リール脚保持部２８の裏面保持部２８ａの裏面と、筒状部１６の筒状部載置面１６ａの凸状部又は凹状部との間に摩擦力を発生させて、リール脚６ａを保持したリール脚保持部２８がリールシート本体１２の軸方向に移動するのを防止することができる。その他、滑り止めとして、図示しない梨地表面がリール脚載置面１２ａに形成されていたり、梨地表面を有するシールなどがリール脚載置面１２ａに貼り付けられていることなども好ましい。  
また、特に、リール脚載置面１２ａの筒状部１６の筒状部載置面１６ａには、リール脚保持部２８の裏面保持部２８ａのリール脚載置面１２ａの筒状部載置面１６ａ側が筒状部１６に対して滑るのを防止するため同様の滑り止めが形成されていることが好ましい。また、裏面保持部２８ａの筒状部載置面１６ａ側に同様の滑り止めが形成されていることも好ましい。
【００２５】
なお、図示しないが、リールシート１０のネジ部１８にリールシート１０の軸長方向に延設されるキー溝を形成し、移動フード２２に、ネジ部１８のキー溝に嵌められる凸状部が形成されていることが好ましい。このようにキーおよび凸状部を形成することにより、フード本体２６が周方向に回転することを防止できる。
【００２６】
魚釣用リール６のリール脚６ａをリールシート１０に固定する際の作用について説明する。  
リールシート１０の締付用ナット２４を逆方向に回転させて、固定フード１４と移動フード２２との間隔を広くする。固定フード１４に魚釣用リール６のリール脚６ａの前端を配置してリール脚６ａの裏面６ｂをリール脚載置面１２ａに載置するとともに、締付用ナット２４を正方向に回転させて移動フード２２を固定フード１４に向かって移動させる。移動フード２２のリール脚保持部２８の裏面保持部２８ａの斜面部２８ｅによりリール脚６ａの後端をリール脚保持部２８に案内する。このようにして、リール脚６ａの後端を移動フード２２のリール脚保持部２８に配置する（図７（Ａ）参照）。
【００２７】
移動フード２２を固定フード１４に向かってさらに移動させると、リール脚保持部２８の表面保持部２８ｂにリール脚６ａの後端の表面６ｃが押し付けられる。このため、リール脚保持部２８の表面保持部２８ｂは、リール脚６ａの後端の表面６ｃをリールシート本体１２のリール脚載置面１２ａや裏面保持部２８ａに向かって押圧するように力が働く。このとき、裏面保持部２８ａと表面保持部２８ｂとは連結部２８ｃにより連結されており、リール脚６ａの裏面６ｂとリールシート本体１２のリール脚載置面１２ａとの間に配設されたリール脚保持部２８の裏面保持部２８ａが挟持された状態となる。すなわち、リール脚保持部２８がリールシート本体１２のリール脚載置面１２ａに強固に固定される。
【００２８】
そして、裏面保持部２８ａの裏面はリールシート本体１２の筒状部１６の滑り止めが形成されていることが好適な筒状部載置面１６ａ（リール脚載置面１２ａ）に密着する。また、リール脚６ａの表面６ｃの側面が表面保持部２８ｂの内面（内側側面）に当接する。このため、リール脚保持部２８がリールシート本体１２の周方向に位置ズレすることが防止されている。
【００２９】
図６（Ａ）に示すように、この実施の形態では、リール脚保持部２８の裏面保持部２８ａのうちリール脚６ａの裏面６ｂが配置される面は、リールシート本体１２よりも低い位置に形成されている。このため、リール脚６ａの後端の裏面６ｂとリールシート本体１２との間には隙間Ｃが形成されている。これは、リール脚６ａによって裏面保持部２８ａが挟持されたときにリール脚載置面１２ａと裏面保持部２８ａとを面一にするように裏面保持部２８ａが変形するときに、裏面保持部２８ａがリール脚載置面１２ａよりも下側（リールシート本体１２の中心軸側）に変形することを防止するように、変形可能な範囲を担保するために設けられたものである。すなわち、この隙間Ｃは、必ずしも必要ではなく、リール脚６ａの裏面６ｂがリールシート本体１２のリール脚載置面１２ａに載置された状態で固定されること、すなわち、リール脚６ａが固定フード１４および移動フード２２により固定されることに加えて、リールシート本体１２のリール脚載置面１２ａにリール脚６ａの裏面６ｂが載置された状態で、リールシート本体１２のリール脚載置面１２ａとリール脚保持部２８の裏面保持部２８ａとが面一に固定されることが好ましい。
【００３０】
以上説明したように、この実施の形態によれば、以下の効果が得られる。  
固定フード１４に対して移動フード２２を移動させてリール脚６ａの後端を移動フード２２のリール脚保持部２８に配置し、リール脚６ａの裏面６ｂの一部をリールシート本体１２のリール脚載置面１２ａとの間で裏面保持部２８ａを挟み込むことによって、リール脚保持部２８を挟持して固定することができる。すなわち、リール脚保持部２８をリールシート本体１２に挟持して固定することによって、移動フード２２をリールシート本体１２に固定することができる。換言すると、リール脚６ａでリール脚保持部２８の裏面保持部２８ａをリール脚載置面１２ａに押し付けることができる。このようにリール脚６ａで裏面保持部２８ａをリール脚載置面１２ａに押し付ける押し付け力によって、リール脚６ａのリール脚載置面１２ａへの固定力を向上させることができる。このように、リール脚６ａのリールシート本体１２への固定力を向上させ、リール脚６ａがリールシート１２に対してガタ付きが生じたり、緩みが生じたりすることを防止することができる。
【００３１】
また、リール脚保持部２８の表面保持部２８ｂの外周は、フード本体２６により覆われ表面保持部２８ｂの変形が抑制されており、リール脚保持部２８の表面保持部２８ｂの側面は、リール脚６ａの表面６ｃの形状に沿って裏面保持部２８ａに向かって曲げられている（延出されている）ので、表面保持部２８ｂの裏面保持部２８ａに向かう端部により、リール脚６ａの裏面６ｂから立ち上がる表面６ｃのうちの側面のフラツキを防止するように保持することができる。したがって、リール脚６ａの後端の表面６ｃのうちの側面がリール脚保持部２８の表面保持部２８ｂから外側にズレることを防止している。
【００３２】
そして、リール脚保持部２８の裏面保持部２８ａおよび表面保持部２８ｂは連結部２８ｃで一体化されているので、裏面保持部２８ａに基づく作用および表面保持部２８ｂに基づく作用を容易に相乗的に及ぼすことができる。
【００３３】
また、リール脚保持部２８を移動フード２２のフード本体２６の開口部２６ａに設けることによって、リール脚６ａをリール脚載置面１２ａに配置する際に、確実にリール脚保持部２８の作用をリール脚６ａに及ぼすことができる。すなわち、常に適切な状態にリール脚６ａをリールシート１０に取り付けることができる。
【００３４】
なお、この実施の形態では、リール脚保持部２８として裏面保持部２８ａと表面保持部２８ｂとを連結部２８ｃで一体化した状態で有することが好適であるものとして説明したが、裏面保持部２８ａだけが移動フード２２に配設された構造を有することも好ましい。この場合、例えばフード本体２６の開口部２６ａの端部（フード本体２６のうち、筒状部１６の外周に沿う部分と筒状部１６の外周から離れる開口部２６ａとの境界付近）に裏面保持部２８ａが固定される。このように、リール脚保持部２８の裏面保持部２８ａが移動フード２２に設けられていることによって、確実にリール脚保持部２８の裏面保持部２８ａをリール脚６ａの裏面６ｂとリール脚載置面１２ａとの間に配置して挟持することができる。
【００３５】
また、この実施の形態では、１対のフードとして固定フード１４と移動フード２２とを有するリールシート１０について説明したが、両方がリール脚保持部２８を有する移動フードのリールシートとして形成されていても良い。
【００３６】
なお、リールシート本体１２のリール脚載置面１２ａに対する固定フード１４および移動フード２２の位置関係は、第１の実施の形態に特定されるものではない。例えば、リール脚載置面１２ａの前端に移動フード２２を配置するとともに、載置面１２の後端に固定フード１４を配置してもよい。
【００３７】
次に、第２の実施の形態について図８を用いて説明する。この実施の形態は第１の実施の形態の変形例であって、第１の実施の形態で説明した部材と同一の部材には同一の符号を付し、詳しい説明を省略する。
【００３８】
図８は、図６（Ａ）中の６Ｂ−６Ｂ線に沿ったリールシート１０の横断面の変形例を示す。  
この実施形態では、図６（Ｂ）に示すフード本体２６とリール脚保持部２８とが一体的に形成され、かつ、リール脚保持部２８の裏面保持部２８ａと表面保持部２８ｂとが連結されている例である。図８に示すように、フード本体２６とリール脚保持部２８（図６（Ｂ）参照）を一体的に形成したものについて符号１２６を付し、フード本体と称する。このフード本体１２６は、リール脚保持部１２８を備えている。リール脚保持部１２８は、裏面保持部１２８ａと表面保持部１２８ｂとを一体的に備えている。裏面保持部１２８ａと表面保持部１２８ｂとの一部は、環状に形成されている。図示しないが、裏面保持部１２８ａと表面保持部１２８ｂとは、連結部（図６（Ａ）参照）でも連結されていることが好ましい。換言すると、この実施形態では、裏面保持部１２８ａと表面保持部１２８ｂとが連結部で連結されていることは必ずしも必要ではない。
【００３９】
釣竿用リール６のリール脚６ａをリールシート１０に固定する際の作用について説明する。  
第１の実施の形態で説明したように、リール脚６ａの後端を移動フード２２のリール脚保持部１２８に配置する。
【００４０】
移動フード２２を固定フード１４に向かってさらに移動させると、リール脚保持部１２８の表面保持部１２８ｂにリール脚６ａの後端の表面６ｃが押し付けられる。リール脚保持部１２８の表面保持部１２８ｂは、リール脚６ａの後端を裏面保持部１２８ａに向かって押圧するように力が働く。このとき、裏面保持部１２８ａと表面保持部１２８ｂとは少なくとも一部が環状に形成され、リール脚６ａの他端の裏面６ｂとリールシート本体１２のリール脚載置面１２ａとの間に配設されたリール脚保持部１２８の裏面保持部１２８ａが挟持された状態となる。すなわち、リール脚保持部１２８がリールシート本体１２に強固に固定される。
【００４１】
そして、裏面保持部１２８ａはリールシート本体１２の筒状部１６の筒状部載置面１６ａに密着し、かつ、リール脚６ａの表面６ｃの側面が表面保持部１２８ｂの端部側に押し付けられたとしても、表面保持部１２８ｂは裏面保持部１２８ａとともに環状に形成されているので開くことが防止されている。このため、リール脚保持部１２８がリールシート本体１２に対して位置ズレすることが防止されている。  
したがって、第２の実施の形態で説明した構造を有する場合であっても、第１の実施の形態で説明した効果を有することができる。
【００４２】
なお、裏面保持部１２８ａは、容易に変形するようにリール脚６ａが配設される方向にスリットが形成されていることも好ましい。リール脚６ａがリール脚保持部１２８に配設されたときにこのようにスリットが形成されていると、裏面保持部１２８ａを広げてリール脚載置面１２ａに押し付けることができる。
【００４３】
次に、第３の実施の形態について図９および図１０を用いて説明する。この実施の形態は第１および第２の実施の形態の変形例であって、第１および第２の実施の形態で説明した部材と同一の部材には同一の符号を付し、詳しい説明を省略する。
【００４４】
図９から図１０（Ｃ）に示すように、リール脚載置面１２ａに連続する筒状部１６には、リール脚保持部２２８の裏面保持部２２８ａが配設されている。なお、このリール脚保持部２２８は、略板状の裏面保持部２２８ａと、例えば第１の実施の形態で説明した表面保持部２８ｂとを有する。裏面保持部２２８ａと表面保持部２８ｂとは分離されている。表面保持部２８ｂは第１の実施の形態で説明したようにフード本体２６の開口部２６ａに配設されている。  
裏面保持部２２８ａは、リール脚載置面１２ａに連続する筒状部１６に対して接着や筒状部１６に設けられた図示しない凹部に対する嵌合等により固定されている。特に、裏面保持部２２８ａは、移動フード２２のフード本体２６によってリール脚６ａを固定する領域（リール脚６ａをリール脚載置面１２ａに対して固定するための固定力を及ぼす範囲）内に配設されている。すなわち、裏面保持部２２８ａは、リール脚載置面１２ａに対してリール脚６ａが固定されたときにフード本体２６の先端と基端との間の内側に配置されている。このため、裏面保持部２２８ａはフード本体２６に覆われる領域内に配置されている。このような領域に裏面保持部２２８ａを配設することによって、フード本体２６からリール脚６ａを介して裏面保持部２２８ａに与えられる押圧力を効率的に及ぼすことができる。
【００４５】
裏面保持部２２８ａは、例えばウレタン、ナイロン、ＰＶＣなどの合成樹脂、ＥＶＡの発泡材、合成ゴムなどの柔軟材等の弾性変形可能な素材で形成されている。又は、裏面保持部２２８ａには第１の実施の形態で説明した素材を用いても良い。裏面保持部２２８ａは、その幅がリール脚６ａの幅と同等か、それよりも大きく形成されている。裏面保持部２２８ａの幅はリール脚載置面１２ａの幅と同等またはそれよりも僅かに小さく形成されていることも好ましい。ここで用いられる裏面保持部２２８ａの厚さは、フード本体２６の内面によりリール脚６ａの表面６ｃを押し下げてリール脚６ａをリール脚載置面１２ａに押し付ける固定の際、リール脚６ａの裏面６ｂに押圧されることにより弾性変形した後に裏面保持部２２８ａの表面がリール脚載置面１２ａと面一となるなど、適宜の厚さを維持できるように形成されている。
【００４６】
このため、図１０（Ａ）および図１０（Ｂ）に示すように、裏面保持部２２８ａは、リール脚６ａの裏面６ｂにより押圧されることを考慮して、リール脚載置面１２ａに対して面一の状態よりも僅かに下側に突出されている。すなわち、リール脚６ａの裏面６ｂにより押圧される前の裏面保持部２２８ａの厚さは、リールシート１２の下側に露出する表面がリール脚載置面１２ａに対して僅かに高くなる程度であることが好ましい。
【００４７】
このように、フード本体２６でリール脚６ａをリール脚載置面１２ａに載置した状態で固定しているときに、リール脚６ａの裏面６ｂとリール脚載置面１２ａとの間に裏面保持部２２８ａが配設されることによって、リール脚６ａで裏面保持部２２８ａをリール脚載置面１２ａに押し付けて変形させることができる。このようにリール脚６ａで裏面保持部２２８ａをリール脚載置面１２ａに押し付ける押し付け力によって、リール脚６ａのリール脚載置面１２ａへの固定力を向上させることができる。このため、フード本体２６とリール脚載置面１２ａとの間に配設されるリール脚６ａについて、釣竿２を用いて釣りをしているときにガタツキや緩みが生じるのを防止することができる。すなわち、裏面保持部２２８ａは、第１の実施の形態で説明した裏面保持部２８ａと同様の作用を得ることができる。
【００４８】
また、裏面保持部２２８ａは、リール脚６ａがリールシート本体１２の周方向に移動することを防止する表面保持部２８ｂと協働することによって、リールシート本体１２にリール脚６ａを取り付けた状態でリール脚６ａがリール脚載置面１２に対してガタ付きが生じたり、緩みが生じたりすることをより確実に防止できる。
【００４９】
また、裏面保持部２２８ａを表面保持部２８ｂとは別に筒状部１６に配置することにより、リールシート１０の製造作業が容易であり、かつ、補修も自在で安価に行うことができる。
【００５０】
なお、この実施の形態では、移動フード２２のフード本体２６に表面保持部２８ｂを設けた例について説明したが、裏面保持部２２８ａが配設されていることによって上述した効果を得ることができるので、表面保持部２８ｂは必ずしも必要ではない。
【００５１】
また、図示しないが、筒状部１６に設けられる裏面保持部２２８ａは、筒状部１６のうちリール脚載置面１２ａに連続する部分に設けられているだけでなく、例えば環状など筒状部１６の外周の全周に亘って設けられていることも好ましい。このとき、裏面保持部２２８ａは横断面がＣ形状に形成された略環状や略管状に形成されていることも好ましい。この場合、横断面がＣ形状であるから端部間に隙間（スリット）を有するので、環状や管状の場合に比べて変形し易く、特にリール脚６ａの裏面を裏面保持部２２８ａの対向する端部の上に配置することによって、より確実にリール脚６ａの裏面６ｂを保持することができる。また、横断面がＣ形状に形成された略環状体や略管状体の対向する端部の間に上述した裏面保持部２２８ａを配設することも好適である。
【００５２】
これまで、いくつかの実施の形態について図面を参照しながら具体的に説明したが、この発明は、上述した実施の形態に限定されるものではなく、その要旨を逸脱しない範囲で行なわれるすべての実施を含む。
【図面の簡単な説明】
【００５３】
【図１】本発明の好ましい実施形態による釣竿の全体図。
【図２】図１に示す釣竿のリールシートの拡大図。
【図３】第１の実施の形態に係る、図１に示す釣竿のリールシートのうち、一部を断面にした拡大図。
【図４】（Ａ）は第１の実施の形態に係るリールシート本体を示す概略図、（Ｂ）は図４（Ａ）中の矢印４Ｂ方向から観察した状態のリールシート本体を示す概略図、（Ｃ）は図４（Ａ）中の矢印４Ｃ方向から観察した状態のリールシート本体を示す概略図。
【図５】（Ａ）は第１の実施の形態に係る移動フードを示す概略的な部分断面図、（Ｂ）は図５（Ａ）中の矢印５Ｂ方向から観察した状態の移動フードを示す概略図
【図６】（Ａ）は第１の実施の形態に係るリールシート本体に移動フードを装着するとともにリール脚を固定した状態を示す概略的な部分断面図、（Ｂ）は図６（Ａ）中の６Ｂ−６Ｂ線に沿う概略的な横断面図。
【図７】（Ａ）は第１の実施の形態に係るリールシート本体に移動フードを装着するとともにリール脚を固定した状態を示す概略的な斜視図、（Ｂ）は図７（Ａ）中に示すリール脚保持部を示す概略的な斜視図。
【図８】第２の実施の形態に係る、図６（Ａ）中の６Ｂ−６Ｂ線に沿う概略的な横断面図の変形例。
【図９】第３の実施の形態に係る、図１に示す釣竿のリールシートのうち、一部を断面にした拡大図。
【図１０】（Ａ）は第３の実施の形態に係るリールシート本体を示す概略図、（Ｂ）は図１０（Ａ）中の１０Ｂ−１０Ｂ線に沿うリールシート本体を示す概略的な横断面図、（Ｃ）は図１０（Ａ）中の矢印１０Ｃ方向から観察した状態のリールシート本体を示す概略図。
【符号の説明】
【００５４】
４ａ…グリップ、１２…リールシート本体、１６…筒状部、１６ａ…筒状部側載置面、１８…ネジ部、２２…移動フード、２４…締付用ナット、２６…フード本体、２６ａ…開口部、２６ｂ…貫通孔、２８…リール脚保持部、２８ａ…裏面保持部、２８ｂ…表面保持部、２８ｃ…連結部、２８ｄ…突部、２８ｅ…斜面部、Ｃ…隙間。
【図１】
2010051282.tif 000003
【図２】
2010051282.tif 000004
【図３】
2010051282.tif 000005
【図４】
2010051282.tif 000006
【図５】
2010051282.tif 000007
【図６】
2010051282.tif 000008
【図７】
2010051282.tif 000009
【図８】
2010051282.tif 000010
【図９】
2010051282.tif 000011
【図１０】
2010051282.tif 000012